(57)【要約】【課題】  製造コストが低い線状照明装置を提供する。【解決手段】  長手方向に延在するハウジング１にＬＥＤ素子２−１、２−２、２−３が設けられている。ハウジング１の長手方向に固定されたフィン状導光体３はハウジング１の長手方向に延在するフィン３−１、３−２、３−３を有する。各ＬＥＤ素子２−１、２−２、２−３はフィン３−１、３−２、３−３の長手方向端部に位置し、また、各ＬＥＤ素子２−１、２−２、２−３の光軸はフィン３−１、３−２、３−３の方向に略一致している。フィン状導光体３の各フィン３−１、３−２、３−３は中空部３−１ａ、３−２ａ、３−３ａ及び尾根部３−１ｂ、３−２ｂ、３−３ｂよりなり、尾根部３−１ｂ、３−２ｂ、３−３ｂの内面はシボ加工されている。【選択図】        図１
2016201202.tif 000002
【特許請求の範囲】
【請求項１】
ハウジングと、
前記ハウジングに設けられた光源と、
前記ハウジングの長手方向に延在して固定されたフィン状導光体と
を具備し、
前記光源は前記フィン状導光体の長手方向の端部に位置し、
前記フィン状導光体のフィンの尾根部の内面はシボ加工されている線状照明装置。
【請求項２】
前記光源の光軸は前記フィンの方向に略一致している請求項１に記載の線状照明装置。
【請求項３】
前記フィンの尾根部の高さは前記光源から離れる程小さくなっている請求項１に記載の線状照明装置。
【発明の詳細な説明】
【技術分野】
【０００１】
本発明は線状照明装置に関する。
【背景技術】
【０００２】
車両用光源として線状照明装置が用いられている。
【０００３】
第１の従来の線状照明装置は、中空部を有する棒状導光体と、棒状導光体の入射面に対向して設けられた光源と、棒状導光体の内周面側に設けられた高拡散反射層とを備えている（参照：特許文献１、２の図１、図２）。これにより、光源から棒状導光体の入射面へ入射した光は高拡散反射層で反射拡散し、棒状導光体の外周面側から出射する。
【０００４】
また、第２の従来の線状照明装置は、中空に高拡散高反射性反射コアを有する棒状導光体と、棒状導光体の入射面に対向して設けられた光源とを備えている（参照：特許文献２の図８）。これにより、光源から棒状導光体の入射面へ入射した光は高拡散高反射性反射コアで反射拡散し、棒状導光体の外周面側から出射する。
【０００５】
さらに、第３の従来の線状照明装置は、管状の中空部及び管壁を有する透光管と、透光管の入射面に対向して設けられた光源とを備え、管壁には集光効果を発揮するために、管壁の厚さが小さい切面箇所を設けている（参照：特許文献３）。これにより、光源から透光管の入射面へ入射した光は管壁に取込まれ、切面箇所から出射する。従って、管壁の切面箇所の輝度は管壁の他の箇所の輝度より高くなる。
【先行技術文献】
【特許文献】
【０００６】
【特許文献１】特開２００３−８１００９号公報
【特許文献２】特開２００３−８６００３号公報
【特許文献３】実用新案登録第３１４５２８４号公報
【発明の概要】
【発明が解決しようとする課題】
【０００７】
しかしながら、上述の第１の従来の線状照明装置においては、高拡散反射層を棒状導光体に設けるために、棒状導光体を縦方向に複数個に分割して接合する（参照：特許文献１の図５）。この結果、製造コストが高いという課題がある。また、棒状導光体の透過率を下げないと接合が難しいという課題もある。
【０００８】
また、上述の第２の従来の線状照明装置においては、高拡散高反射性反射コアを棒状導光体に設けるために、棒状導光体を中空部と光導入部とに分割して接合する（参照：特許文献２の図１０）。この結果、製造コストが高いという課題がある。また、この場合も、棒状導光体の透過性を下げないと接合が難しいという課題もある。
【０００９】
さらに、上述の第３の従来の線状照明装置においては、切面箇所からの出射は十分でなく、従って、管壁の切面箇所の輝度は管壁の他の箇所の輝度と比較して余り高くならないという課題がある。
【課題を解決するための手段】
【００１０】
上述の課題を解決するために、本発明に係る線状照明装置は、ハウジングと、ハウジングに設けられた光源と、ハウジングの長手方向に延在して固定されたフィン状導光体とを具備し、光源はフィン状導光体の長手方向の端部に位置し、フィン状導光体のフィンの尾根部の内面はシボ加工されているものである。これにより、フィンの中空部は導光作用をし、フィンの尾根部のシボ加工部分は発光作用をする。
【発明の効果】
【００１１】
本発明によれば、フィン状導光体は一体成型でき、従って、分割接合を不要となるので、製造コストを低減できる。また、フィン状導光体の透過性を下げる必要もない。
【図面の簡単な説明】
【００１２】
【図１】本発明に係る線状照明装置の実施の形態を示す斜視図である。
【図２】図１のＩＩ−ＩＩ線縦断面図である。
【図３】図１のＩＩＩ−ＩＩＩ線横断面図である。
【発明を実施するための形態】
【００１３】
図１は本発明に係る線状照明装置の実施の形態を示す斜視図、図２は図１のＩＩ−ＩＩ線縦断面図、図３は図１のＩＩＩ−ＩＩＩ線横断面図である。
【００１４】
図１、図２、図３において、長手方向に延在する樹脂製のハウジング１にＬＥＤ素子２−１、２−２、２−３が設けられている。ハウジング１の長手方向に固定されたフィン状導光体３はハウジング１の長手方向に延在するフィン３−１、３−２、３−３を有する。この場合、各ＬＥＤ素子２−１、２−２、２−３はフィン３−１、３−２、３−３の長手方向端部に位置し、また、各ＬＥＤ素子２−１、２−２、２−３の光軸はフィン３−１、３−２、３−３の方向に略一致している。
【００１５】
また、フィン状導光体３の各フィン３−１、３−２、３−３は中空部３−１ａ、３−２ａ、３−３ａ及び尾根部３−１ｂ、３−２ｂ、３−３ｂよりなる。尾根部３−１ｂ、３−２ｂ、３−３ｂはＵ字状もしくはコの字形状をなしており、その内面はシボ加工されている。尚、この場合、各フィン３−１、３−２、３−３のフィン幅Ｗ１は７．５ｍｍ程度であり、シボ加工部分Ｐのシボ加工幅Ｗ２は１．０〜２．３ｍｍ程度である。このように、フィン状導光体３においては、尾根部３−１ｂ、３−２ｂ、３−３ｂのシボ加工部分Ｐが従来の反射層または反射コアの作用をするので、反射層または反射コアは不要となる。従って、フィン状導光体３は一体成型できるので、分割接合が不要となり、製造コストを低減できる。また、フィン状導光体３の透過性を下げる必要もない。
【００１６】
図１、図２、図３においてはＬＥＤ素子２−１、２−２、２−３の光Ｌ１、Ｌ２、Ｌ３はフィン状導光体３のフィン３−１、３−２、３−３の中空部３−１ａ、３−２ａ、３−３ａを導光し、その一部はフィン３−１、３−２、３−３の尾根部３−１ｂ、３−２ｂ、３−３ｂのシボ加工部分Ｐを介して出射する。つまり、中空部３−１ａ、３−２ａ、３−３ａは導光作用をし、また、尾根部３−１ｂ、３−２ｂ、３−３ｂのシボ加工部分Ｐは発光作用をする。
【００１７】
図２に示すように、フィン３−１、３−２、３−３の高さはＬＥＤ素子２−１、２−２、２−３から離れる程小さくなっている。これにより、ＬＥＤ素子２−１、２−２、２−３からの光Ｌ１、Ｌ２、Ｌ３がより遠くまで到達するようにする。但し、この場合にあっても、ＬＥＤ素子２−１、２−２、２−３からの光Ｌ１、Ｌ２、Ｌ３がフィン３−１、３−２、３−３の尾根部３−１ｂ、３−２ｂ、３−３ｂのシボ加工部分Ｐから出射される光量はＬＥＤ素子２−１、２−２、２−３から離れる程徐々に少なくなる。
【００１８】
図１、図２、図３の線状照明装置のＬＥＤ素子２−１、２−２、２−３をオンにすると、フィン３−１、３−２、３−３に沿った輝度が徐々に変化する３本のシャープな発光フィーリングが得られる。
【００１９】
尚、上述の実施の形態においては、フィン状導光体３のフィンの数は３であるが、他の数、たとえば、１、２、４、…でよい。
【００２０】
さらに、本発明は上述の実施の形態の自明の範囲のいかなる変更にも適用し得る。
【産業上の利用可能性】
【００２１】
本発明に係る線状照明装置は特に車両の前部のフェンダの装飾用ランプとして利用できる。
【符号の説明】
【００２２】
１：ハウジング
２−１、２−２、２−３：ＬＥＤ素子
３：フィン状導光体
３−１、３−２、３−３：フィン
３−１ａ、３−２ａ、３−３ａ：中空部
３−１ｂ、３−２ｂ、３−３ｂ：尾根部
Ｐ：シボ加工部分
Ｗ１：フィン幅
Ｗ２：シボ加工幅
Ｌ１、Ｌ２、Ｌ３：光
【図１】
2016201202.tif 000003
【図２】
2016201202.tif 000004
【図３】
2016201202.tif 000005